(57)【要約】【課題】ブレーカが容易に着脱可能であり、取付時の固定力が十分に確保され、低コストである分電盤のブレーカ取付構造を提供する。【解決手段】ブレーカ取付構造１は、切欠部３０を有する分電盤のパネル２と、第２被係止片４８を有するブレーカ１６と、第２被係止片４８に係止するＬ字状部５６ａ、及び切欠部３０に係合する上先端部５４を有する、ピンセット状の取付部材１８と、を備えている。Ｌ字状部５６ａは、ピンセット状の取付部材１８における二股の先端部に配置されており、その先端部は、自然状態において、ブレーカ１６の第２被係止片４８の幅より狭い間隔を有している。【選択図】図２
2019083598.tif 000002
【特許請求の範囲】
【請求項１】
切欠部を有する分電盤のパネルと、
被係止部を有するブレーカと、
前記被係止部に係止する係止部、及び前記切欠部に係合する係合部を有する、ピンセット状の取付部材と、
を備えている
ことを特徴とする分電盤のブレーカ取付構造。
【請求項２】
前記係止部は、前記取付部材の先端部に配置されており、
当該先端部は、自然状態において、前記被係止部の幅より狭い間隔を有している
ことを特徴とする請求項１に記載の分電盤のブレーカ取付構造。
【請求項３】
前記係止部あるいはこれにつながる部分と前記係合部との間に、スリットが形成されている
ことを特徴とする請求項１又は請求項２に記載の分電盤のブレーカ取付構造。
【請求項４】
前記係合部は、前記取付部材の屈曲部以外に配置されており、
前記切欠部は、前記係止部が前記被係止部に係止する位置において前記係合部と係合する取付用テーパ部を有している
ことを特徴とする請求項１ないし請求項３の何れかに記載の分電盤のブレーカ取付構造。
【請求項５】
前記切欠部は、前記係止部が前記被係止部に係止しない位置において前記係合部と係合する取付待機用テーパ部を有している
ことを特徴とする請求項４に記載の分電盤のブレーカ取付構造。
【発明の詳細な説明】
【技術分野】
【０００１】
本発明は、分電盤のパネルに対しブレーカを取り付けるための分電盤のブレーカ取付構造に関する。
【背景技術】
【０００２】
特開２００１−３２７００９号公報（特許文献１）に係る分電盤のブレーカ取付構造では、分電盤のパネル１は、挿入片６及び摘み５を有する樹脂性の取付部品４を受け入れる切欠３と、取付部品４を平行に保持する舌片１１及びＬ型片１２と、ブレーカ２を掛止する掛止片１４と、を有しており、取付部品４の基端の摘み５には、ブレーカ２を掛止する掛止凹部８が形成され、取付部品４の挿入片６の先端には、パネル１の突起９に後側から係止される抜止部１０が形成されている。
又、特開２００４−８７２７９号公報（特許文献２）に係るプラグインブレーカの抜止め構造は、引掛部１５を有する取付板１と、複数の導電バー２〜４と、導電バー２〜４に差込接続する受刃１２，１３が前面に配設され、受刃１２，１３を導電バー２〜４に差込接続した状態で引掛部１５に引掛けられて取付板１に載置されるプラグインブレーカ５と、載置側と反対側に垂下した垂下片２５と、取付板１の載置側表面に対して突出する位置と突出しない位置との間で進退自在であるストッパ部２６を有しており、垂下片２５に取り付けられる抜止め部材２７と、を備えており、抜止め部材２７が移動されることで、ストッパ部２６がプラグインブレーカ５に係止する。垂下片２５及び抜止め部材２７には、ストッパ部２６がプラグインブレーカ５に係止した位置から移動することを防止する凹凸係合部３４が設けられている。
【先行技術文献】
【特許文献】
【０００３】
【特許文献１】特開２００１−３２７００９号公報
【特許文献２】特開２００４−８７２７９号公報
【発明の概要】
【発明が解決しようとする課題】
【０００４】
上述の各構造では、取付部品４や抜け止め部材２７の操作により、容易にブレーカを着脱することができるものの、ブレーカの主な固定力は、抜止部１０の突起９への係止力か、あるいは凹凸係合部３４の係合力となっており、取付スペースに制限があることを考え合わせると、その向上には限界が存在する。
本発明の主な目的は、ブレーカが容易に着脱可能であり、取付時の固定力が十分に確保され、低コストである分電盤のブレーカ取付構造を提供することである。
【課題を解決するための手段】
【０００５】
上記目的を達成するために、請求項１に記載の発明は、切欠部を有する分電盤のパネルと、被係止部を有するブレーカと、前記被係止部に係止する係止部、及び前記切欠部に係合する係合部を有する、ピンセット状の取付部材と、を備えていることを特徴とするものである。
請求項２に記載の発明は、上記発明において、前記係止部は、前記取付部材の先端部に配置されており、当該先端部は、自然状態において、前記被係止部の幅より狭い間隔を有していることを特徴とするものである。
請求項３に記載の発明は、上記発明において、前記係止部あるいはこれにつながる部分と前記係合部との間に、スリットが形成されていることを特徴とするものである。
請求項４に記載の発明は、上記発明において、前記係合部は、前記取付部材の屈曲部以外に配置されており、前記切欠部は、前記係止部が前記被係止部に係止する位置において前記係合部と係合する取付用テーパ部を有していることを特徴とするものである。
請求項５に記載の発明は、上記発明において、前記切欠部は、前記係止部が前記被係止部に係止しない位置において前記係合部と係合する取付待機用テーパ部を有していることを特徴とするものである。
【発明の効果】
【０００６】
本発明の主な効果は、ブレーカが容易に着脱可能であり、取付時の固定力が十分に確保され、低コストである分電盤のブレーカ取付構造が提供されることである。
【図面の簡単な説明】
【０００７】
【図１】本発明に係るブレーカ取付構造の斜視図である。
【図２】図１の一部分離斜視図である。
【図３】図２の上面図である。
【図４】図３のＡ−Ａ線断面図（内部構造省略）である。
【図５】図１の取付部材の斜視図である。
【発明を実施するための形態】
【０００８】
以下、本発明に係る実施の形態やその変更例が、適宜図面に基づいて説明される。尚、本発明は、下記の実施の形態や変更例に限定されない。
当該形態や変更例における前後上下左右は、説明の便宜上定められたものであり、設置の状況や移動可能あるいは姿勢変化可能な部材の位置や姿勢等により変化することがある。
【０００９】
図１は、本発明に係る分電盤のブレーカ取付構造１の斜視図である。
ブレーカ取付構造１は、２枚の板状のパネル２を前後に並べた状態で上面側に載せる一対の板状のベース４と、左右の基台６を介してベース４間を渡るようにベース４に取り付けられて前後のパネル２間の上方に配置される前後一対の母線バー８と、各基台６及び母線バー８の左右各端部の上部に取り付けられる側面視Ｕ字状の架台１０と、架台１０に対して支持板１２を介して取り付けられ各母線バー８間の上方に配置される母線バー１４と、ブレーカ１６毎に用意される取付部材１８と、を備えている。
【００１０】
図２は、ブレーカ取付構造１に係る後側のパネル２と３個のブレーカ１６（うち１個は分離状態である）と４個の取付部材１８とについての斜視図であり、図３は、図２の上面図であり、図４は、内部構造が省略された図３のＡ−Ａ線断面図であり、図５は、取付部材１８の斜視図である。
前側のパネル２は、後側のパネル２と、左右方向の母線バー１４に対して線対称となる配置を除いて同様に成るため、その説明は省略される。前側のパネル２に取り付けられるブレーカ１６や取付部材１８についても、同様である。
【００１１】
後側のパネル２の前辺部は、下方（起立部２０ａ）及び前方（接触部２０ｂ）に折曲げられた第１脚部２０となっており、パネル２の後辺部は、下方（起立部２２ａ）及び後方（接触部２２ｂ）に折曲げられた第２脚部２２となっている。パネル２は、第１脚部２０及び第２脚部２２の各接触部２０ｂ，２２ｂにおいてベース４に接触してネジ止めされ、第１脚部２０及び第２脚部２２の各起立部２０ａ，２２ａの分だけベース４から離れている。
パネル２における第１脚部２０と第２脚部２２との間は、前後左右に広がっており、複数（６個）のブレーカ１６を載置可能な載置部２４となっている。
【００１２】
第１脚部２０の起立部２０ａには、載置部２４より上方に突出する前面視ロ字状の係止片２６が、複数（６個）、左右に並ぶように設けられている。係止片２６は、載置部２４の一部を切り起こすことで、起立部２０ａに連続するように形成されている。
【００１３】
又、第２脚部２２の起立部２２ａと載置部２４との間の角部ないしその周辺部には、切欠部３０が６個設けられている。
各切欠部３０は、起立部２２ａに配置された矩形部３０ａと、載置部２４において矩形部３０ａと隣接しており、前方へ行くほど左右に広がって矩形部３０ａの左右幅程度の最大幅となった後で逆に狭まる取付待機用テーパ部としての第１テーパ部３０ｂと、その前側に配置された一定幅の連絡部３０ｃと、その前側に配置されており第１テーパ部３０ｂと同様に成る取付用テーパ部としての第２テーパ部３０ｄと、その前側に配置されており前端部で行き止まりとなることを除き連絡部３０ｃと同様に成る終端部３０ｅと、を一連に備えている。
【００１４】
各母線バー８は、上方及び外側に突出する枝状部３２を、６本備えている。各枝状部３２は、図１において、先端部のみ示されている。
又、母線バー１４は、下方及び外側に突出する枝状部３４を、下方及び前方に突出するもの６本、並びに下方及び後方に突出するもの６本の合計１２本有している。
【００１５】
各ブレーカ１６は、略直方体状のブレーカ本体４０と、ブレーカ本体４０の前部に配置された左右一対の凹状の電源側接続端子４２（図１における前側の各ブレーカ１６のみ図示）と、その下方であってブレーカ本体４０の下部に形成されたブレーカ本体４０から前方に突出する第１被係止片４４と、ブレーカ本体４０の後部に配置された左右一対の凹状の負荷側接続端子４６と、その下方であってブレーカ本体４０の下部に形成されたブレーカ本体４０から後方に突出する被係止部としての第２被係止片４８と、を備えている。
【００１６】
各取付部材１８は、金属製でピンセット状の板バネであり、左右対称形状を呈していて、屈曲部５０と、そこから前広がりで延びる一対の板状の基部５２と、その各上部から前方に延びて前端部で内側に曲がる係合部としての上先端部５４と、各基部５２の下部から上先端部５４と同様に前方及び内側に延び、更に上方に延びて内側に水平に曲がる前面視逆Ｌ字状のＬ字状部５６ａ（係止部）を有する下先端部５６と、を備えている。
上先端部５４と、Ｌ字状部５６ａを除く下先端部５６（下中間部５６ｂ）との間は、パネル２（載置部２４）の肉厚より僅かに薄い上下幅を有するスリットとなっている。
上先端部５４や下中間部５６ｂの外形は、各切欠部３０の第１テーパ部３０ｂや第２テーパ部３０ｄの形状と同様であり、より詳しくは第１テーパ部３０ｂや第２テーパ部３０ｄの形状より僅かにより大きく前広がりとなっている。即ち、上先端部５４や下中間部５６ｂの外形は、第１テーパ部３０ｂや第２テーパ部３０ｄと同様に、先端部を除き前に行くほど左右方向の幅が広がっているところ、上先端部５４や下中間部５６ｂにおける最大幅となる部分は、第１テーパ部３０ｂや第２テーパ部３０ｄにおける最大幅となる部分に対し、前後方向では同様な位置となり、左右方向では若干大きくなる。
取付部材１８が自然状態（外力が作用していない状態）である場合の、互いに向かい合う一対のＬ字状部５６ａにおける内面同士の左右方向の間隔は、ブレーカ１６の第２被係止片４８における左右方向の幅より若干小さくなっている。又、Ｌ字状部５６ａにおける外面同士の左右方向の間隔は、各切欠部３０の終端部３０ｅにおける左右方向の間隔より若干小さくなっている。
【００１７】
ブレーカ１６は、例えば次のようにパネル２の載置部２４に対し作業者により着脱される。
作業者は、予め、ブレーカ１６を取り付ける切欠部３０における矩形部３０ａから取付部材１８を前方に入れ、上先端部５４の下部を第１テーパ部３０ｂに配置しておく。取付部材１８は、その（特に屈曲部５０や上先端部５４の後部の）弾性により、第１テーパ部３０ｂに対して上先端部５４において左右方向外側へ押付作用を呈することで、更に外力を加えない限り第１テーパ部３０ｂの位置で留まる。
【００１８】
そして、まず、作業者は、ブレーカ１６の第１被係止片４４を、パネル２の係止片２６に入れるか、その隣接部位に配置すると共に、第２被係止片４８を、対応する切欠部３０の前側に配置する（図２，図３における左側のブレーカ１６参照）。
次いで、作業者は、ブレーカ１６及び取付部材１８を、第１被係止片４４が係止片２６に入り、第２被係止片４８が各Ｌ字状部５６ａの間に入る状態で、前方に移動させる（同図における中央のブレーカ１６参照）。取付部材１８における一対の上先端部５４は、切欠部３０の連絡部３０ｃにより、互いに近づくように内側に縮み、一対の下先端部５６は、各Ｌ字状部５６ａの間に第２被係止片４８が入ることで、切欠部３０の下側で若干広がる。又、母線バー８における１本の枝状部３２の先端部に、電源側接続端子４２の一方が近づいて行き、母線バー１４における１本の枝状部３４の先端部に、他方の電源側接続端子４２が近づいて行く。
作業者は、ブレーカ１６及び取付部材１８の前方への押し込みを、第１被係止片４４全体が係止片２６に入ると共に、取付部材１８の各Ｌ字状部５６ａと第２被係止片４８とが切欠部３０の終端部３０ｅに位置し、上先端部５４が第２テーパ部３０ｄ内に位置するまで継続し、ブレーカ１６のパネル２に対する取付を完了する（同図における右側のブレーカ１６参照）。
【００１９】
取付状態において、ブレーカ１６は、パネル２の係止片２６の上部及び取付部材１８の各Ｌ字状部５６ａの上部により、パネル２の載置部２４に押し付けられ、上方への移動が食い止められる。
又、ブレーカ１６は、係止片２６の左部及び右部並びにＬ字状部５６ａの一方の左部及び他方の右部により、左右方向への移動が阻止される。
更に、ブレーカ１６は、係止片２６の後面、及びＬ字状部５６ａの前面により、前後方向への移動が阻止される。
Ｌ字状部５６ａを有する取付部材１８は、上先端部５４の第２テーパ部３０ｄに対する弾性嵌合により、前後方向や左右方向の移動が抑制される。又、取付部材１８は、当該弾性嵌合や、下中間部５６ｂ上辺部の載置部２４下面に対する接触（スリットの切欠部３０周辺部に対する配置）により、上下方向の移動が阻止される。
尚、枝状部３２，３４の先端部は、電源側接続端子４２に接続される。
【００２０】
ブレーカ１６を取り外す場合、作業者は、取付部材１８を、上先端部５４が第１テーパ部３０ｂに入るまで、あるいは矩形部３０ａを経て切欠部３０から出るまで後退させて、Ｌ字状部５６ａがブレーカ１６の第２被係止片４８から離れるようにし、更にブレーカ１６を後退させ、第１被係止片４４がパネル２の係止片２６から離れるようにすると共に、電源側接続端子４２が枝状部３２，３４の先端部から離れるようにする。
作業者は、取付部材１８の後退時、上先端部５４をつまんでも良く、この場合、取付部材１８が連絡部３０ｃ以降において移動し易くなる。又、作業者は、ブレーカ１６と取付部材１８とを共に後退させても良い。
【００２１】
かようなブレーカ取付構造１は、切欠部３０を有する分電盤のパネル２と、第２被係止片４８を有するブレーカ１６と、第２被係止片４８に係止するＬ字状部５６ａ、及び切欠部３０に係合する上先端部５４を有する、ピンセット状の取付部材１８と、を備えている。よって、作業者は、取付部材１８の上先端部５４をパネル２の切欠部３０に係合させ、Ｌ字状部５６ａをブレーカ１６の第２被係止片４８に係止させるだけで、ブレーカ１６をパネルに容易に取り付けることができ、Ｌ字状部５６ａの第２被係止片４８への係止を解除するだけでブレーカ１６を容易に取り外すことができる。かようなブレーカ１６を載置するための取付部材１８のパネル２への係合は、パネル２に切欠部３０を形成することにより、低コストで実現できる。又、取付部材１８は、ブレーカ１６の第２被係止片４８やパネル２の切欠部３０に対し、弾性力により係止しあるいは係合するので、ブレーカ１６取付時の固定力は、十分に確保される。
又、Ｌ字状部５６ａは、ピンセット状の取付部材１８における二股の先端部に配置されており、その先端部は、自然状態において、ブレーカ１６の第２被係止片４８の幅より狭い間隔を有している。よって、ブレーカ１６は、第２被係止片４８がＬ字状部５６ａにより挟まれて弾性力が及んだ状態で、より一層強固に取り付けられる。
更に、取付部材１８のＬ字状部５６ａにつながる下中間部５６ｂと上先端部５４との間に、スリットが形成されている。よって、取付部材１８において、ブレーカ１６に対する係止を担う部分と、切欠部３０に対する係合を担う部分とを物理的に分離することができ、係止及び係合の双方について一層確実なものとすることができる。
又更に、上先端部５４は、取付部材１８基端部の屈曲部５０以外に配置されており、切欠部３０は、Ｌ字状部５６ａが第２被係止片４８に係止する位置において上先端部と係合する第２テーパ部３０ｄを有している。よって、ピンセット状の取付部材１８は、その前広がりの部分に合う切欠部３０の第２テーパ部３０ｄにおいて係合することができ、取付強度がより良好になると共に、取付部材１８やブレーカ１６の着脱が一層行い易くなる。
加えて、切欠部３０は、Ｌ字状部５６ａが第２被係止片４８に係止しない位置において上先端部５４と係合する第１テーパ部３０ｂを有している。よって、作業者は、ブレーカ１６の着脱時に、取付部材１８を第１テーパ部３０ｂにおいて待機させることができ、取付部材１８を片手で持つことなく両手でブレーカ１６を容易に扱うことができる。
【００２２】
尚、ブレーカ取付構造１は、適宜次のような変更例を有する。
取付部材１８の形状や大きさ、材質等は、様々に変更することができる。例えば、Ｌ字状部５６ａは、断面コ字状のコ字状部とされても良いし、断面Ｉ字状のＩ字状部とされても良い。又、上先端部５４の少なくとも一部と下先端部５６の少なくとも一部とは、一体であっても良い。更に、上先端部５４に、ブレーカ１６の第２被係止片４８を掴むＬ字状部５６ａが設けられても良く、下先端部５６に、切欠部３０に対する係合部が設けられても良い。又更に、取付部材１８は、左右非対称形状であっても良い。加えて、取付部材１８は、合成樹脂製であっても良い。
取付待機用テーパ部としての第１テーパ部３０ｂ、及び連絡部３０ｃの少なくとも一方は、省略されても良い。
母線バー８，１４は、枝状部３２，３４を有さないものとすることができる。
枝状部３２，３４の代わりに凹部が設けられると共に電源側接続端子４２が当該凹部に入る凸部とされたり、断面ロ字状の係止片２６に代えて凸部を有する係止片が設けられると共に第１被係止片４４に代えて当該凸部を受け入れる凹部が設けられたり、第２被係止片４８が取付部材１８の一対の先端を受け入れる凹部とされたりする等、各種の係止や係合において凹凸が適宜入れ替えられても良い。又、各種の係止や係合は、互いに掛かり合う爪をそれぞれ有する凸部同士によってなされても良い。
電源側接続端子４２及び負荷側接続端子４６の少なくとも一方が上下に並ぶようにされたり、１枚のパネル２に５個以下あるいは７個以上のブレーカ１６が載置可能であるようにされたり、ベース４に１枚あるいは３枚以上のパネル２を載せたり、ベース４が一連のものとされるかあるいは省略されたり、３種以上の母線バーが設けられたりする等、各種部材や部分の配置や設置数等は、適宜変更可能である。
【符号の説明】
【００２３】
１・・ブレーカ取付構造、２・・パネル、１６・・ブレーカ、１８・・取付部材、３０・・切欠部、３０ｂ・・第１テーパ部（取付待機用テーパ部）、３０ｄ・・第２テーパ部（取付用テーパ部）、４８・・第２被係止片（被係止部）、５０・・屈曲部、５４・・上先端部（係合部）、５６ａ・・Ｌ字状部（係止部）、５６ａ・・下中間部。
【図１】
2019083598.tif 000003
【図２】
2019083598.tif 000004
【図３】
2019083598.tif 000005
【図４】
2019083598.tif 000006
【図５】
2019083598.tif 000007